(57)【要約】【課題】所定日数で目標とするカロリー量を消費するための日々の運動の適正判断を容易に行うことができる三次元加速度センサを備えた携帯型消費カロリー計測装置を提供すること。【解決手段】使用者自らが入力したり、ネットワーク上のサーバから取得したりすることで装置に記憶させた、所定日数で目標とするカロリー量を消費するためのカロリー消費メニューに従って運動を行うにあたり、運動を開始してから所定日数に到達するまでの任意の日数経過時点において、運動開始からその時点までのカロリー消費メニューに基づく目標総消費カロリー量と実測総消費カロリー量を比較し、比較により判明した実測総消費カロリー量の目標総消費カロリー量からの乖離度に応じてその乖離の程度が予め設定された区分のいずれの区分に属するかを判定し、その判定結果を区分ごとに定められた医学用語述語不使用伝達ツールにより使用者に表示するものである。【選択図】　図１
2004136020.tif 000002
【特許請求の範囲】
【請求項１】
携帯する使用者の運動に伴って発生する多方向からの衝撃を計測するための三次元加速度センサを備えた携帯型消費カロリー計測装置であって、所定日数で目標とするカロリー量を消費するためのカロリー消費メニューを入力する手段および／または取得する手段と、カロリー消費メニューを記憶する手段と、三次元加速度センサによる計測により取得された情報を実測消費カロリー量として数値化する手段と、１日毎の実測消費カロリー量を加算する手段と、カロリー消費メニューに従って運動を開始してから所定日数に到達するまでの任意の日数経過時点において、運動開始からその時点までのカロリー消費メニューに基づく目標総消費カロリー量と実測総消費カロリー量を比較する手段と、比較により判明した実測総消費カロリー量の目標総消費カロリー量からの乖離度に応じてその乖離の程度が予め設定された区分のいずれの区分に属するかを判定する手段と、その判定結果を区分ごとに定められた医学用語述語不使用伝達ツールにより使用者に表示する手段を備えたことを特徴とする装置。
【請求項２】
カロリー消費メニューが二重標識水法に基づく計測情報から作成されたものであることを特徴とする請求項１記載の装置。
【請求項３】
医学用語述語不使用伝達ツールがアルファベット、数字、記号、色彩から選ばれる少なくとも１つである請求項１または２記載の装置。
【発明の詳細な説明】
【０００１】
【発明の属する技術分野】
本発明は、携帯する使用者が所定日数で目標とするカロリー量を消費するための日々の運動の適正判断を容易に行うことができ、例えば、数週間〜数ヶ月にわたる健康管理を使用者が効果的に行うことに資する三次元加速度センサを備えた携帯型消費カロリー計測装置に関する。
【０００２】
【従来の技術】
これまでに知られている、三次元加速度センサを備えた携帯型消費カロリー計測装置としては、例えば、取り外し可能な記憶媒体（ＩＣカードなど）を介してコンピュータに使用者の個人データを伝送し、当該コンピュータを駆使して使用者の適正摂取カロリー量の算出と摂取メニューの作成を行い、この適正摂取カロリー量と摂取メニューを活用して実行される食事管理システムにおける携帯端末として利用される装置がある（下記特許文献１参照）。しかしながら、所定日数で目標とするカロリー量を消費するための日々の運動の適正判断を容易に行うことができ、例えば、数週間〜数ヶ月にわたる健康管理を使用者が効果的に行うことに資する三次元加速度センサを備えた携帯型消費カロリー計測装置は未だ提案されていない。
【０００３】
【特許文献１】
特開平１０−３３５１４号公報
【０００４】
【発明が解決しようとする課題】
そこで本発明は、所定日数で目標とするカロリー量を消費するための日々の運動の適正判断を容易に行うことができ、例えば、数週間〜数ヶ月にわたる健康管理を使用者が効果的に行うことに資する三次元加速度センサを備えた携帯型消費カロリー計測装置を提供することを目的とする。
【０００５】
【課題を解決するための手段】
上記の点に鑑みてなされた本発明の携帯型消費カロリー計測装置は、請求項１記載の通り、携帯する使用者の運動に伴って発生する多方向からの衝撃を計測するための三次元加速度センサを備えた携帯型消費カロリー計測装置であって、所定日数で目標とするカロリー量を消費するためのカロリー消費メニューを入力する手段および／または取得する手段と、カロリー消費メニューを記憶する手段と、三次元加速度センサによる計測により取得された情報を実測消費カロリー量として数値化する手段と、１日毎の実測消費カロリー量を加算する手段と、カロリー消費メニューに従って運動を開始してから所定日数に到達するまでの任意の日数経過時点において、運動開始からその時点までのカロリー消費メニューに基づく目標総消費カロリー量と実測総消費カロリー量を比較する手段と、比較により判明した実測総消費カロリー量の目標総消費カロリー量からの乖離度に応じてその乖離の程度が予め設定された区分のいずれの区分に属するかを判定する手段と、その判定結果を区分ごとに定められた医学用語述語不使用伝達ツールにより使用者に表示する手段を備えたことを特徴とする。
また、請求項２記載の装置は、請求項１記載の装置において、カロリー消費メニューが二重標識水法に基づく計測情報から作成されたものであることを特徴とする。
また、請求項３記載の装置は、請求項１または２記載の装置において、医学用語述語不使用伝達ツールがアルファベット、数字、記号、色彩から選ばれる少なくとも１つである。
【０００６】
【発明の実施の形態】
本発明の携帯型消費カロリー計測装置は、使用者自らが入力したり、ネットワーク上のサーバから取得したりすることで装置に記憶させた、所定日数で目標とするカロリー量を消費するためのカロリー消費メニューに従って運動を行うにあたり、運動を開始してから所定日数に到達するまでの任意の日数経過時点において、運動開始からその時点までのカロリー消費メニューに基づく目標総消費カロリー量と実測総消費カロリー量を比較し、比較により判明した実測総消費カロリー量の目標総消費カロリー量からの乖離度に応じてその乖離の程度が予め設定された区分のいずれの区分に属するかを判定し、その判定結果を区分ごとに定められた医学用語述語不使用伝達ツールにより使用者に表示するものであり、日々の運動の適正判断を容易に行うことができる。従って、例えば、数週間〜数ヶ月にわたる健康管理を使用者が効果的に行うことができるという効果をもたらす。
【０００７】
【実施例】
以下、本発明の携帯型消費カロリー計測装置の実施例について、添付図面を参照しながら説明する。
【０００８】
図１は、代表的な本発明の携帯型消費カロリー計測装置の構成を示すブロック図である。
【０００９】
所定日数で目標とするカロリー量を消費するためのカロリー消費メニューは、例えば、使用者自らが入力手段から手動入力することで、記憶手段に記憶される。このカロリー消費メニューは、酸素と水素それぞれの安定同位体を含む二重標識水を飲んだ後、尿への排泄量の変化を測定することで消費カロリー量を推定する方法で、正確度と精密度に優れた二重標識水法（必要であれば体力科学，第５１巻，第１号，ｐ１５１−１６４，平成１４年２月を参照のこと）に基づく計測情報から作成されたものであることが望ましく、例えば、１ヶ月（３０日）で５００００Ｋｃａｌ消費すべく、運動開始１日目は１０００Ｋｃａｌ消費することを推奨し、２日目は１５００Ｋｃａｌ消費することを推奨し、３日目は１０００Ｋｃａｌ消費することを推奨し、以降、４日目、５日目と１日毎の消費カロリー量を推奨し、３０日目に１０００Ｋｃａｌ消費することを推奨して１ヶ月で５００００Ｋｃａｌ消費するように計画されたものである。
【００１０】
本発明の携帯型消費カロリー計測装置における計測手段は、携帯する使用者の運動に伴って発生する多方向からの衝撃を計測するための三次元加速度センサである。三次元加速度センサによる計測により取得された情報は、数値化手段において実測消費カロリー量に数値化される。１日毎の実測消費カロリー量は加算手段において加算されることで運動開始からの実測総消費カロリー量が算出される。
【００１１】
本発明の携帯型消費カロリー計測装置は、カロリー消費メニューに従って運動を開始してから所定日数に到達するまでの任意の日数経過時点において、運動開始からその時点までのカロリー消費メニューに基づく目標総消費カロリー量と実測総消費カロリー量とを比較するための比較手段と、比較により判明した実測総消費カロリー量の目標総消費カロリー量からの乖離度に応じてその乖離の程度が予め設定された区分のいずれの区分に属するかを判定するための判定手段を備える。目標総消費カロリー量からの乖離度に応じた区分の設定は、予め記憶手段に区分情報として入力されており、例えば、目標総消費カロリー量に対して〜−３０％の区分、−３０％〜−１０％の区分、−１０％〜−５％の区分、±５％以内の区分、＋５％〜＋１０％の区分、＋１０％〜＋３０％の区分、＋３０％〜の区分などといった具合に設定されたものである。
【００１２】
判定結果は、区分ごとに定められた医学用語述語不使用伝達ツールにより使用者に表示手段により表示される。医学用語述語不使用伝達ツールとは医学用語述語を使用しない伝達ツールであり（医学用語述語か否かは各種の医学辞典に項目として存在するか否かで判断される）、使用者に自己の判定結果を容易に認識させるためには、それ自体が独立して意味を有しないもの、例えば、Ａ，Ｂ，Ｃ，・・・などのアルファベット、１，２，３，・・・などの数字、○，△，×，・・・などの記号、青色，黄色，赤色，・・・などの色彩などを使用することが望ましい。区分ごとに定められた医学用語述語不使用伝達ツールは、区分情報として予め記憶手段に記憶されているものである。医学用語述語不使用伝達ツールとして色彩を使用した場合を例にとって説明すると、実測総消費カロリー量が目標総消費カロリー量に対して〜−３０％の区分に属する場合は赤色、−３０％〜−１０％の区分に属する場合は黄色、−１０％〜−５％の区分に属する場合は黄緑色、±５％以内の区分に属する場合は緑色、＋５％〜＋１０％の区分に属する場合は水色、＋１０％〜＋３０％の区分に属する場合は青色、＋３０％〜の区分に属する場合は紫色などといった具合に定めておき、判定結果をいずれかの色彩で使用者に表示する。表示手段としては、例えば、表示画面に当該色彩が現れるようにする方法などが挙げられる。
【００１３】
具体例を前述の１ヶ月で５００００Ｋｃａｌ消費するためのカロリー消費メニューに従って運動を行う場合で説明すると、運動開始３日目経過時点における目標総消費カロリー量は３５００Ｋｃａｌである。使用者の実測消費カロリー量が１日目１０００Ｋｃａｌ、２日目８００Ｋｃａｌ、３日目１２００Ｋｃａｌであった場合、実測総消費カロリー量は３０００Ｋｃａｌということになり、実測総消費カロリー量は目標総消費カロリー量に対して５００Ｋｃａｌの乖離（不足）が存在することになり、実測総消費カロリー量は目標総消費カロリー量に対して−３０％〜−１０％の区分に属するということになるので、黄色により使用者に表示される。これにより使用者は運動が不足していることを認識し、その是正を図ることで、自己の健康管理を効果的に行うことができる。
【００１４】
図２は、その他の本発明の携帯型消費カロリー計測装置の構成を示すブロック図である。
【００１５】
この携帯型消費カロリー計測装置は、所定日数で目標とするカロリー量を消費するためのカロリー消費メニューを取得するための取得手段を備える。この携帯型消費カロリー計測装置は、例えば、次のようにして利用される。即ち、医師による患者への健康管理指導の一環として、医師は患者にこの携帯型消費カロリー計測装置を貸与するとともに、患者に適したカロリー消費メニューを作成して病院に設置したサーバにアップロードする。患者は通信回線を通じてネットワーク上のサーバから自分用に作成されたカロリー消費メニューをこの携帯型消費カロリー計測装置における取得手段にて取得（ダウンロード）し、記憶手段に記憶されたカロリー消費メニューに従って運動を開始する。この携帯型消費カロリー計測装置は、使用者自らがカロリー消費メニューを入力する必要がないという利点を有する。カロリー消費メニューの取得は、取り外し可能な記憶媒体（ＩＣカードなど）などを用いて行ってもよい。
【００１６】
なお、本発明の携帯型消費カロリー計測装置は、上記の構成に加え、カロリー消費メニューに基づく任意の１日の目標消費カロリー量とその日の実測消費カロリー量を比較し、比較により判明した実測消費カロリー量の目標消費カロリー量からの乖離度に応じてその乖離の程度が予め設定された区分のいずれの区分に属するかを判定し、その判定結果を区分ごとに定められた医学用語述語不使用伝達ツールにより使用者に表示するようにしてもよい。
【００１７】
【発明の効果】
本発明によれば、所定日数で目標とするカロリー量を消費するための日々の運動の適正判断を容易に行うことができ、例えば、数週間〜数ヶ月にわたる健康管理を使用者が効果的に行うことに資する三次元加速度センサを備えた携帯型消費カロリー計測装置が提供される。
【図面の簡単な説明】
【図１】代表的な本発明の携帯型消費カロリー計測装置の構成を示すブロック図である。
【図２】その他の本発明の携帯型消費カロリー計測装置の構成を示すブロック図である。
【図１】
2004136020.tif 000003
【図２】
2004136020.tif 000004